(57)【特許請求の範囲】
【請求項１】
一画素がＷサブ画素、Ｒサブ画素、Ｇサブ画素およびＢサブ画素の４つのサブ画素から構成されるＷＲＧＢ方式の液晶表示パネルの表示駆動にあたって、
入力信号である元のＲＧＢ信号をＷ"Ｒ"Ｇ"Ｂ"信号に変換し、
変換後の前記Ｗ"Ｒ"Ｇ"Ｂ"信号を前記液晶表示パネルの対応するＷサブ画素、Ｒサブ画素、Ｇサブ画素およびＢサブ画素に与える液晶表示パネルの表示駆動方法であって、
前記入力信号である元のＲＧＢ信号を前記Ｗ"Ｒ"Ｇ"Ｂ"信号に変換する手順は、以下の手順１〜手順６からなり、
手順１では、前記元のＲＧＢ信号を入力し、
手順２では、前記元のＲＧＢ信号をＨＳＶ色空間へ変換し、
且つ、Ｈは色相を表し、Ｓは彩度を表し、Ｖは明度を表し、
手順３では、Ｓ・Ｖに対して変換を行って、新しいＨＳ'Ｖ'色空間を得ることで、彩度を増強し、
且つ、変換公式は以下であり、
【数１５】
0006410279.tif 000016
更に、Ｓ'は、変換後の彩度を表し、
Ｖ'は、変換後の明度を表し、
ｓ、ｖは、それぞれＳ、Ｖと対応する値であり、
Ｎは、１よりも大きい定数であり、
Ｍは、１よりも大きい定数であり、
手順４では、手順３で得られたＨＳ'Ｖ'に対して変換処理を行って、Ｒ'Ｇ'Ｂ'信号を産出し、
手順５では、手順４で得られたＲ'Ｇ'Ｂ'信号に対して変換処理を行って、Ｗ"Ｒ"Ｇ"Ｂ"信号を産出し、
且つ、Ｗ"信号は空白サブ画素と対応する信号であり、
このとき、ＷｍｉｎＲＧＢアルゴリズムを用いてＷ"信号を得るとともに、Ｗ"信号をＲ"Ｇ"Ｂ"信号の最小グレースケール値とするものであって、
すなわち、Ｗ"＝ｍｉｎ（Ｒ'Ｇ'Ｂ'）
Ｒ"＝Ｒ'−Ｗ"、
Ｇ"＝Ｇ'−Ｗ"
Ｂ"＝Ｂ'−Ｗ"
であり、
手順６では、Ｗ"Ｒ"Ｇ"Ｂ"信号を前記液晶表示パネルの対応するＷサブ画素、Ｒサブ画素、Ｇサブ画素およびＢサブ画素に出力する
ことを特徴とするＷＲＧＢ方式の液晶表示パネルの表示駆動方法。
【請求項２】
請求項１に記載のＷＲＧＢ方式の液晶表示パネルの表示駆動方法において、
前記手順２において、元のＲＧＢ信号をＨＳＶ色空間へ変換する際に採用される変換公式は以下であり、
【数１６】
0006410279.tif 000017
更に、ｈ、ｓ、ｖは、それぞれＨ、Ｓ、Ｖと対応する値であり、
ｒは、Ｒサブ画素の明度を表し、
ｇは、Ｇサブ画素の明度を表し、
ｂは、Ｂサブ画素の明度を表し、
ｍａｘ＝ｍａｘ（ｒ，ｇ，ｂ）、ｍｉｎ＝ｍｉｎ（ｒ，ｇ，ｂ）である
ことを特徴とするＷＲＧＢ方式の液晶表示パネルの表示駆動方法。
【請求項３】
請求項１または請求項２に記載のＷＲＧＢ方式の液晶表示パネルの表示駆動方法において、
前記手順３における定数ＮとＭは、相等であるか、或は不等である
ことを特徴とするＷＲＧＢ方式の液晶表示パネルの表示駆動方法。
【請求項４】
請求項１から請求項３のいずれかに記載のＷＲＧＢ方式の液晶表示パネルの表示駆動方法において、
前記手順４において、ＨＳ'Ｖ'に対して変換処理を行ってＲ'Ｇ'Ｂ'信号を得る際に採用される変換公式は以下であり、
【数１７】
0006410279.tif 000018
更に、ｈ、ｖ'、ｓ'は、それぞれＨ、手順３を経て変換されたＶ'、Ｓ'と対応する値である
ことを特徴とするＷＲＧＢ方式の液晶表示パネルの表示駆動方法。
【請求項５】
一画素がＷサブ画素、Ｒサブ画素、Ｇサブ画素およびＢサブ画素の４つのサブ画素から構成されるＷＲＧＢ方式の液晶表示パネルの表示駆動にあたって、
入力信号である元のＲＧＢ信号をＷ'Ｒ"Ｇ"Ｂ"信号に変換し、
変換後の前記Ｗ'Ｒ"Ｇ"Ｂ"信号を前記液晶表示パネルの対応するＷサブ画素、Ｒサブ画素、Ｇサブ画素およびＢサブ画素に与える液晶表示パネルの表示駆動方法であって、
前記入力信号である元のＲＧＢ信号を前記Ｗ'Ｒ"Ｇ"Ｂ"信号に変換する手順は、
以下の手順１'〜手順６'からなり、
手順１'では、元のＲＧＢ信号を入力し、
手順２'では、元のＲＧＢ信号の変換処理を行って、Ｗ'Ｒ'Ｇ'Ｂ'信号を産出し、
且つ、Ｗ'信号は空白サブ画素と対応する信号であり、
このとき、ＷｍｉｎＲＧＢアルゴリズムを用いてＷ'信号を得るとともに、Ｗ'信号をＲ'Ｇ'Ｂ'信号の最小グレースケール値とするものであり、
すなわち、Ｗ'＝ｍｉｎ（ＲＧＢ）
Ｒ'＝Ｒ−Ｗ'、
Ｇ'＝Ｇ−Ｗ'
Ｂ'＝Ｂ−Ｗ'
であり、
手順３'では、Ｒ'Ｇ'Ｂ'信号をＨＳＶ色空間へ変換し、
且つ、Ｈは色相を表し、Ｓは彩度を表し、Ｖは明度を表し、
手順４'では、Ｓ、Ｖに対して変換を行って、新しいＨＳ'Ｖ'色空間を得ることで、彩度を増強し、
且つ、変換公式は以下であり、
【数１８】
0006410279.tif 000019
更に、Ｓ'は、変換後の彩度を表し、
Ｖ'は、変換後の明度を表し、
ｓ、ｖは、それぞれＳ、Ｖと対応する値であり、
Ｎは、１よりも大きい定数であり、
Ｍは、１よりも大きい定数であり、
手順５'では、手順４'で得られたＨＳ'Ｖ'に対して変換処理を行って、Ｒ"Ｇ"Ｂ"信号を産出し、
手順６'では、Ｗ'Ｒ"Ｇ"Ｂ"信号を前記液晶表示パネルの対応するＷサブ画素、Ｒサブ画素、Ｇサブ画素およびＢサブ画素に出力する
ことを特徴とするＷＲＧＢ方式の液晶表示パネルの表示駆動方法。
【請求項６】
請求項５に記載のＷＲＧＢ方式の液晶表示パネルの表示駆動方法において、
前記手順３'において、Ｒ'Ｇ'Ｂ'信号をＨＳＶ色空間へ変換する際に採用される変換公式は以下であり、
【数１９】
0006410279.tif 000020
更に、ｈ、ｓ、ｖは、それぞれＨ、Ｓ、Ｖと対応する値であり、
ｒは、Ｒ画素における変換後の信号Ｒ'と対応する明度を表し、
ｇは、Ｇ画素における変換後の信号Ｇ'と対応する明度を表し、
ｂは、Ｂ画素における変換後の信号Ｂ'と対応する明度を表し、
ｍａｘ＝ｍａｘ（ｒ，ｇ，ｂ）、ｍｉｎ＝ｍｉｎ（ｒ，ｇ，ｂ）である
ことを特徴とするＷＲＧＢ方式の液晶表示パネルの表示駆動方法。
【請求項７】
請求項５または請求項６に記載のＷＲＧＢ方式の液晶表示パネルの表示駆動方法において、
前記手順４'における定数ＮとＭは、相等であるか、或は不等である
ことを特徴とするＷＲＧＢ方式の液晶表示パネルの表示駆動方法。
【請求項８】
請求項５から請求項７のいずれかに記載のＷＲＧＢ方式の液晶表示パネルの表示駆動方法において、
前記手順５'において、ＨＳ'Ｖ'に対して変換処理を行ってＲ"Ｇ"Ｂ"信号を得る際に採用される変換公式は以下であり、
【数２０】
0006410279.tif 000021
更に、ｈ、ｖ'、ｓ'は、それぞれＨ、手順４'を経て変換されたＶ'、Ｓ'と対応する値である
ことを特徴とするＷＲＧＢ方式の液晶表示パネルの表示駆動方法。
【発明の詳細な説明】
【技術分野】
【０００１】
本発明は、表示技術に関し、特に、ＷＲＧＢの彩度向上方法に関する。
【背景技術】
【０００２】
液晶ディスプレイ（Ｌｉｑｕｉｄ  Ｃｒｙｓｔａｌ  Ｄｉｓｐｌａｙ、ＬＣＤ）や有機発光ダイオードディスプレイ（Ｏｒｇａｎｉｃ  Ｌｉｇｈｔ  Ｅｍｉｔｔｉｎｇ  Ｄｉｏｄｅ、ＯＬＥＤ）等のフラット表示装置は、既にＣＲＴディスプレイに取って代わってきており、現在の市場における主流製品となっている。表示パネルはＬＣＤ・ＯＬＥＤ等のフラット表示装置における重要な構成要素である。ＬＣＤにおいて、液晶表示パネルの構造は、一般に、カラーフィルター基板（Ｃｏｌｏｒ  Ｆｉｌｔｅｒ、ＣＦ）・薄膜トランジスタアレイ基板（Ｔｈｉｎ  Ｆｉｌｍ  Ｔｒａｎｓｉｓｔｏｒ  Ａｒｒａｙ  Ｓｕｂｓｔｒａｔｅ、ＴＦＴ  Ａｒｒａｙ  Ｓｕｂｓｔｒａｔｅ）、及び二つの基板の間に設けられた液晶層（Ｌｉｑｕｉｄ  Ｃｒｙｓｔａｌ  Ｌａｙｅｒ）によってなるとともに、その動作原理は、二枚のガラス基板上に駆動電圧を印加することによって液晶層の液晶分子の回転を制御し、これによりバックライトモジュールが提供する光線が屈折射出されて画像を産出するというものである。
【０００３】
従来の液晶表示パネルはマトリクス式配列を呈する複数個の画素を有しており、各画素は赤（Ｒｅｄ、Ｒ）と、緑（Ｇｒｅｅｎ、Ｇ）と、青（Ｂｌｕｅ、Ｂ）の三つのサブ画素からなる。従来技術で採用されるＲ・Ｇ・Ｂカラーフィルターはいずれも吸収型のカラーフィルターであり、光線が入射した時、対応する色の光だけが通過可能で、そのほかの二つの色の光はいずれも吸収されるため、表示パネルの透過率が低くなる。このため、一つの画素内に赤・緑・青・空白（Ｗｈｉｔｅ、Ｗ）の四つのサブ画素が設けられた表示技術が考案された。このうち、Ｗサブ画素にはカラーフィルターが加えられず、対応するグレースケールの制御を通して前記Ｗサブ画素の透光量を制御することで、表示パネルの透過率を向上させることが出来る。現在、ＷＲＧＢの四つのサブ画素を有する液晶表示パネルは、既にＬＣＤディスプレイに広く使用されている。しかし、この種の表示パネルはＷサブ画素が加えられることで、人の目に認識されるカラー画面の彩度（色の彩度、Ｓａｔｕｒａｔｉｏｎ、Ｓ）が低下して、色彩の鮮やかさが不足するとともに、表示される画面に白点状のムラが生じてしまう。
【０００４】
ＷｍｉｎＲＧＢアルゴリズムは、ＲＧＢ信号をＷＲＧＢ信号に変換するために最も広く使用されている、一種の算法である。前記アルゴリズムは計算が簡単であるものの、明度とグレースケールの適切な変換が出来ないため、画像の彩度が劣り、正弦関数Ｓ'＝Ｓｉｎ（π／２×Ｓ）を用いて実際の彩度ＳをＳ'へと増強したとしても、最終的なＷＲＧＢ画像における彩度の増強効果は十分とは言えない。図４を参照する。サムソンの技術を使用してＲＧＢをＷＲＧＢに変換したところ、グレースケール変化のムラや、一部のグレースケールでウォーターマーク現象が生じる等の問題が見られた。
【０００５】
よって、液晶表示パネルの彩度を更に増強し、明度を高めることで、より良い表示効果を達成する必要がある。
【０００６】
ＨＳＶ（Ｈｕｅ・Ｓａｔｕｒａｔｉｏｎ・Ｖａｌｕｅ）カラーモデルは、彩度の増強と密接な関係にあるとともに、色の直感的特性に基づいて編み出された一種の色空間であり、六角錐体モデルとも呼ばれる。このモデルにおける色パラメータは、色相（Ｈｕｅ、Ｈ）と、彩度（Ｓａｔｕｒａｔｉｏｎ、Ｓ）と、明度（Ｖａｌｕｅ、Ｖ）とに分けられる。このうち、色相は角度によってキャリブレーションが行われ、その値は０°〜３６０°の範囲である。彩度の値は０．０〜１．０の範囲である。明度の値は０．０（黒色）〜１．０（白色）の範囲である。
【発明の概要】
【発明が解決しようとする課題】
【０００７】
本発明は、液晶表示パネルの彩度を向上させて、表示効果を更に鮮やかにするとともに、画質をより良くし、且つ従来のＷＲＧＢ技術におけるグレースケール変化のムラや、一部のグレースケールで生じるウォーターマーク現象等の問題を解決する、ＷＲＧＢの彩度向上方法を提供することを目的とする。
【課題を解決するための手段】
【０００８】
上述の目的を達成するために、本発明が提供するＷＲＧＢの彩度向上方法は、下記の手順からなる。
【０００９】
手順１では、元のＲＧＢ信号を入力する。
【００１０】
手順２では、元のＲＧＢ信号をＨＳＶ色空間へ変換する。
【００１１】
Ｈは色相を表し、Ｓは彩度を表し、Ｖは明度を表す。
【００１２】
手順３では、Ｓ、Ｖに対して変換を行って、新しいＨＳ'Ｖ'色空間を得ることで、彩度を増強する。
変換公式を以下に示す。
【００１３】
【数１】
0006410279.tif 000002
Ｓ'は変換後の彩度を表し、Ｖ'は変換後の明度を表す。ｓ、ｖはそれぞれＳ、Ｖと対応する値である。Ｎは１よりも大きい定数であり、Ｍは１よりも大きい定数である。
【００１４】
手順４では、手順３で得られたＨＳ'Ｖ'に対して変換処理を行って、Ｒ'Ｇ'Ｂ'信号を得る。
【００１５】
手順５では、手順４で得られたＲ'Ｇ'Ｂ'信号に対して変換処理を行って、Ｗ''Ｒ''Ｇ''Ｂ''信号を得る。
【００１６】
Ｗ''信号は空白サブ画素と対応する信号である。
【００１７】
手順６では、Ｗ''Ｒ''Ｇ''Ｂ''信号を出力する。
【００１８】
前記手順２において、元のＲＧＢ信号をＨＳＶ色空間へ変換する際に採用される変換公式を以下に示す。
【００１９】
【数２】
0006410279.tif 000003
ｈ、ｓ、ｖはそれぞれＨ、Ｓ、Ｖと対応する値である。ｒはＲサブ画素の明度を表し、ｇはＧサブ画素の明度を表し、ｂはＢサブ画素の明度を表し、ｍａｘ＝ｍａｘ（ｒ，ｇ，ｂ）、ｍｉｎ＝ｍｉｎ（ｒ，ｇ，ｂ）である。
【００２０】
前記手順３における定数ＮとＭは、相等であるか、或は不等であることも可能である。
【００２１】
前記手順４において、ＨＳ'Ｖ'に対して変換処理を行ってＲ'Ｇ'Ｂ'信号を得る際に採用される変換公式を以下に示す。
【００２２】
【数３】
0006410279.tif 000004
ｈ、ｖ'、ｓ'はそれぞれＨ、手順３を経て変換されたＶ'、Ｓ'と対応する値である。
【００２３】
前記手順５では、ＷｍｉｎＲＧＢアルゴリズムを用いてＷ''信号を得るとともに、Ｗ''信号をＲ''Ｇ''Ｂ''信号の最小グレースケール値とする。
【００２４】
また、ＷＲＧＢの彩度向上方法は、下記の手順からなる。
【００２５】
手順１'では、元のＲＧＢ信号を入力する。
【００２６】
手順２'では、元のＲＧＢ信号の変換処理を行ってＷ'Ｒ'Ｇ'Ｂ'信号を得る。
【００２７】
Ｗ'信号は空白サブ画素と対応する信号である。
【００２８】
手順３'では、Ｒ'Ｇ'Ｂ'信号をＨＳＶ色空間へ変換する。
【００２９】
Ｈは色相を表し、Ｓは彩度を表し、Ｖは明度を表す。
【００３０】
手順４'では、Ｓ、Ｖに対して変換を行って、新しいＨＳ'Ｖ'色空間を得ることで、彩度を増強する。
変換公式を以下に示す。
【００３１】
【数４】
0006410279.tif 000005
Ｓ'は変換後の彩度を表し、Ｖ'は変換後の明度を表す。ｓ、ｖはそれぞれＳ、Ｖと対応する値である。Ｎは１よりも大きい定数であり、Ｍは１よりも大きい定数である。
【００３２】
手順５'では、手順４'で得られたＨＳ'Ｖ'に対して変換処理を行ってＲ''Ｇ''Ｂ''信号を得る。
【００３３】
手順６'では、Ｗ'Ｒ''Ｇ''Ｂ''信号を出力する。
【００３４】
前記手順２'ではＷｍｉｎＲＧＢアルゴリズムを用いてＷ'信号を得るとともに、Ｗ'信号をＲ'Ｇ'Ｂ'信号の最小グレースケール値とする。
【００３５】
前記手順３'において、Ｒ'Ｇ'Ｂ'信号をＨＳＶ色空間へ変換する際に採用される変換公式を以下に示す。
【００３６】
【数５】
0006410279.tif 000006
ｈ、ｓ、ｖはそれぞれＨ、Ｓ、Ｖと対応する値である。ｒはＲ画素における変換後の信号Ｒ'と対応する明度を表し、ｇはＧ画素における変換後の信号Ｇ'と対応する明度を表し、ｂはＢ画素における変換後の信号Ｂ'と対応する明度を表し、ｍａｘ＝ｍａｘ（ｒ，ｇ，ｂ）、ｍｉｎ＝ｍｉｎ（ｒ，ｇ，ｂ）である。
【００３７】
前記手順４'における定数ＮとＭは、相等であるか、或は不等であることも可能である。
【００３８】
前記手順５'において、ＨＳ'Ｖ'に対して変換処理を行ってＲ''Ｇ''Ｂ''信号を得る際に採用される変換公式を以下に示す。
【００３９】
【数６】
0006410279.tif 000007
ｈ、ｖ'、ｓ'はそれぞれ、Ｈ、手順４'を経て変換されたＶ'、Ｓ'と対応する値である。
【発明の効果】
【００４０】
本発明は以下の有益な効果を有する。本発明のＷＲＧＢの彩度向上方法は、ＨＳＶ色空間において彩度Ｓ及び明度Ｖに対して変換を行うことで、彩度Ｓを増強し、これにより液晶表示パネルの彩度を向上させることが可能である。加えて、表示効果がより鮮やかになり、画質もより良くなるとともに、従来のＷＲＧＢ技術におけるグレースケール変化のムラや、一部のグレースケールでウォーターマーク現象が生じる等の問題を解決することが出来る。
【図面の簡単な説明】
【００４１】
本発明の特徴及び技術内容に対する理解を深めるために、以下の本発明の詳述と図面を参照されたい。ただし、図面は参考及び説明用であり、本発明に制限を加えるものではない。
【図１】本発明のＷＲＧＢの彩度向上方法の実施例を示したフロー図である。
【図２】本発明のＷＲＧＢの彩度向上方法のもう一つの実施例を示したフロー図である。
【図３】本発明のＷＲＧＢの彩度向上方法によって得られた彩度Ｓ'と元の彩度Ｓの曲線関係図である。
【図４】本発明のＷＲＧＢの彩度向上方法と従来技術のグレースケール対比図である。
【発明を実施するための形態】
【００４２】
本発明の技術手法及び効果について更に詳らかにするために、以下で本発明の実施例及び図面を参照しつつ詳述する。
【００４３】
（実施例１）
図１を参照する。図は、本発明のＷＲＧＢの彩度向上方法の実施例を示したフロー図であり、下記の手順からなる。
【００４４】
手順１では、元のＲＧＢ信号を入力する。
【００４５】
手順２では、元のＲＧＢ信号をＨＳＶ色空間へ変換する。
【００４６】
Ｈは色相を表し、Ｓは彩度を表し、Ｖは明度を表す。
【００４７】
手順２で採用される変換公式を以下に示す。
【００４８】
【数７】
0006410279.tif 000008
このうち、ｈ、ｓ、ｖはＨ、Ｓ、Ｖと対応する値であり、ｒはＲサブ画素の明度を表し、ｇはＧサブ画素の明度を表し、ｂはＢサブ画素の明度を表し、ｍａｘ＝ｍａｘ（ｒ，ｇ，ｂ）、ｍｉｎ＝ｍｉｎ（ｒ，ｇ，ｂ）である。
【００４９】
手順３では、Ｓ、Ｖに対して変換を行って、新しいＨＳ'Ｖ'色空間を得ることで、彩度を増強する。
手順３で採用される変換公式を以下に示す。
【００５０】
【数８】
0006410279.tif 000009
このうち、Ｓ'は変換後の彩度を表し、Ｖ'は変換後の明度を表す。ｓ、ｖはそれぞれＳ、Ｖと対応する値である。Ｎは１よりも大きい定数であり、Ｍは１よりも大きい定数である。ＮとＭは相等であるか、或は不等であることが可能である。
【００５１】
（３）式、（４）式におけるパラメータＮ、Ｍを調節することで、変換を通して異なる彩度Ｓ'、明度Ｖ'が得られ、これにより異なる色彩のシミュレーション効果を達成することが出来る。
（４）式において、基本となる関数式を以下に示す。
【００５２】
【数９】
0006410279.tif 000010
このうち、ｘ∈［０，１］である。
【００５３】
図３は、手順３によって得られた彩度Ｓ'と元の彩度Ｓの曲線関係図である。図示したように、Ｓ∈［０，１］の範囲内において、Ｓ'＞Ｓである。加えて、パラメータＮは調節可能であり、Ｎ値が大きくなるほど、中低彩度の範囲内（Ｓ＜０．５）において、Ｓ'とＳの値の差は大きくなるとともに、中低彩度に対する増強効果がより明確になり、且つ色彩の鮮やかさも増す。
【００５４】
手順４では、手順３で得られたＨＳ'Ｖ'に対して変換処理を行って、Ｒ'Ｇ'Ｂ'信号を得る。
手順４で採用される変換公式を以下に示す。
【００５５】
【数１０】
0006410279.tif 000011
ｈ、ｖ'、ｓ'はそれぞれＨ、手順３を経て変換されたＶ'、Ｓ'と対応する値である。
【００５６】
手順５では、手順４で得られたＲ'Ｇ'Ｂ'信号に対して変換処理を行って、Ｗ''Ｒ''Ｇ''Ｂ''信号を得る。
【００５７】
このうち、Ｗ''信号は空白サブ画素と対応する信号である。具体的には、手順５においてＷｍｉｎＲＧＢアルゴリズムを用いてＷ''信号を得るとともに、Ｗ''信号をＲ''Ｇ''Ｂ''信号の最小グレースケール値とする。
【００５８】
手順６では、Ｗ''Ｒ''Ｇ''Ｂ''信号を出力する。
【００５９】
（実施例２）
図２を参照する。図は、本発明のＷＲＧＢの彩度向上方法のもう一つの実施例を示したフロー図であり、以下の手順からなる。
【００６０】
手順１'では、元のＲＧＢ信号を入力する。
【００６１】
手順２'では、元のＲＧＢ信号の変換処理を行って、Ｗ'Ｒ'Ｇ'Ｂ'信号を得る。
【００６２】
このうち、Ｗ'信号は空白サブ画素と対応する信号である。具体的には、手順２'においてＷｍｉｎＲＧＢアルゴリズムを用いてＷ'信号を得るとともに、Ｗ'信号をＲ'Ｇ'Ｂ'信号の最小グレースケール値とする。
【００６３】
手順３'では、Ｒ'Ｇ'Ｂ'信号をＨＳＶ色空間へ変換する。
【００６４】
Ｈは色相を表し、Ｓは彩度を表し、Ｖは明度を表す。
手順３'において採用される変換公式を以下に示す。
【００６５】
【数１１】
0006410279.tif 000012
ｈ、ｓ、ｖはそれぞれＨ、Ｓ、Ｖと対応する値である。ｒはＲ画素における変換後の信号Ｒ'と対応する明度を表し、ｇはＧ画素における変換後の信号Ｇ'と対応する明度を表し、ｂはＢ画素における変換後の信号Ｂ'と対応する明度を表し、ｍａｘ＝ｍａｘ（ｒ，ｇ，ｂ）、ｍｉｎ＝ｍｉｎ（ｒ，ｇ，ｂ）である。
【００６６】
手順４'では、Ｓ、Ｖに対して変換を行って、新しいＨＳ'Ｖ'色空間を得ることで、彩度を増強する。
手順４'において採用される変換公式を以下に示す。
【００６７】
【数１２】
0006410279.tif 000013
このうち、Ｓ'は変換後の彩度を表し、Ｖ'は変換後の明度を表す。ｓ、ｖはそれぞれＳ、Ｖと対応する値である。Ｎは１よりも大きい定数であり、Ｍは１よりも大きい定数である。ＮとＭは相等であるか、或は不等であることも可能である。
【００６８】
（３'）式、（４'）式におけるパラメータＮ、Ｍを調節することで、変換を通して異なる彩度Ｓ'、明度Ｖ'が得られ、これにより異なる色彩のミュレーション効果を達成することが出来る。
（４'）式において、基本となる関数式を以下に示す。
【００６９】
【数１３】
0006410279.tif 000014
このうち、ｘ∈［０，１］である。
【００７０】
図３は、手順４'によって得られた彩度Ｓ'と元の彩度Ｓの曲線関係図である。図示したように、Ｓ∈［０，１］の範囲内において、Ｓ'＞Ｓである。加えて、パラメータＮは調節可能であり、Ｎ値が大きくなるほど、中低彩度の範囲内（Ｓ＜０．５）において、Ｓ'とＳの値の差は大きくなるとともに、中低彩度に対する増強効果がより明確になり、且つ色彩の鮮やかさも増す。
【００７１】
手順５'では、手順４'で得られたＨＳ'Ｖ'に対して変換処理を行って、Ｒ''Ｇ''Ｂ''信号を得る。
手順５'において採用される変換公式を以下に示す。
【００７２】
【数１４】
0006410279.tif 000015
ｈ、ｖ'、ｓ'はそれぞれＨ、手順４'を経て変換されたＶ'、Ｓ'と対応する値である。
【００７３】
手順６'では、Ｗ'Ｒ''Ｇ''Ｂ''信号を出力する。
【００７４】
従来技術と比べ、本発明のＷＲＧＢの彩度向上方法を使用して表示を行う場合には、画面の鮮やかさが大幅に向上する。特に、皮膚の色合いが元々の像に極めて近くなり、表示効果もより良くなる。図４を参照する。本発明のＷＲＧＢの彩度向上方法は従来技術と比べ、グレースケール変化にムラが無く、ウォーターマーク現象も生じない。
【００７５】
以上を総じて言えば、本発明のＷＲＧＢの彩度向上方法は、ＨＳＶ色空間において彩度Ｓ及び明度Ｖに対して変換を行うことで、彩度Ｓを増強し、これにより液晶表示パネルの彩度を向上させることが可能になる。加えて、表示効果がより鮮やかになり、画質もより良くなるとともに、従来のＷＲＧＢ技術におけるグレースケール変化のムラや、一部のグレースケールでウォーターマーク現象が生じる等の問題を解決することが出来る。
【００７６】
以上の記述により、本領域の一般的な技術員は、本発明の技術手法と構想に基づいて各種の対応する変更や変形を加えることが可能であり、いずれの変更や変形も本発明の特許請求の保護範囲内に含まれる。
【図１】
0006410279.tif 000022
【図２】
0006410279.tif 000023
【図３】
0006410279.tif 000024
【図４】
0006410279.tif 000025